(57)【要約】      （修正有）【課題】ユーザの対話が応答に悪影響をあたえること無く、着信に対する通信試みを選択操作することを可能にする。【解決手段】無線ネットワークを横切って、試みられた通信接続、例えば電話など、を受け取り、そして、ユーザーが直接通信に入らずに応答できる、携帯電話のような無線コンピュータ装置。無線装置は、例えば、Ｃａｌｌｅｒ ＩＤ（発信者電話番号）の受信を通して、試みられた通信接続を分類し、この分類に基づき、通信接続試みに対し所定の応答、例えば、電話をブロックすること、録音メッセージで答えること、又は発信装置にデータを送信することなど、を行う。【選択図】図３
2011061799.tif 000002
【特許請求の範囲】
【請求項１】
無線通信機能を有し、無線ネットワークを横切って、試みられた通信接続を選択的に受信するコンピュータ装置であって、
試みられた通信接続を分類し、
前記の試みられた通信接続の前記分類に基づき、通信接続試みに対し所定の応答を行う、
無線装置。
【請求項２】
前記所定の応答は、前記着信する通信接続試みをブロックすることである、請求項１記載の装置。
【請求項３】
前記所定の応答は、前記着信する通信接続試みに対するオーディオ応答を含む、請求項２記載の装置。
【請求項４】
前記所定の応答は、前記着信する通信を受理するかどうかに関してユーザー入力をリクエストすることである、請求項１記載の装置。
【請求項５】
前記所定の応答は、前記着信する通信試みに対しデータ応答を返すことである、請求項１記載の装置。
【請求項６】
前記着信する通信試みの前記分類は、前記装置に着信通信試みを行う発信電話の電話番号を識別することにより生じる、請求項１記載の装置。
【請求項７】
前記分類は、前記着信する通信試みに対するＣａｌｌｅｒ ＩＤ（発信者電話番号）の受信を通し発生する、請求項６記載の装置。
【請求項８】
前記分類は、前記着信する通信試みの中での識別データの受信を通し発生する、請求項１記載の装置
【請求項９】
前記所定の応答は、前記着信する通信試みを行う前記装置にＳＭＳメッセージを送ることである、請求項５記載の装置。
【請求項１０】
無線ネットワークを横切って、試みられた通信接続を選択的に受信する無線通信用手段と、
試みられた通信接続を分類する手段と、
前記試みられた通信接続の前記分類に基づき、通信接続試みに対し所定の応答を行う手段と、
を備えるコンピュータ装置。
【請求項１１】
無線通信機能を有するコンピュータ装置で、着信する通信接続試みに対し応答する方法であって、
無線ネットワークを横切って、試みられた通信接続を受信するステップと、
前記試みられた通信接続を分類するステップと、
前記の分類に基づき、前記試みられた通信接続に対し所定の応答を行うステップと、
を備える方法。
【請求項１２】
前記所定の応答を行うステップは、前記着信する通信接続試みをブロックすることである、請求項１１記載の方法。
【請求項１３】
前記所定の応答を行うステップは、前記着信する通信接続試みに対するオーディオ応答を生成することである、請求項１２記載の方法。
【請求項１４】
前記所定の応答を行うステップは、前記着信する通信を受理するかどうかに関してユーザー入力をリクエストすることである、請求項１１記載の方法。
【請求項１５】
前記所定の応答を行うステップは、前記着信する通信試みに対するデータ応答を返すことである請求項１１記載の方法。
【請求項１６】
前記試みられた通信接続を分類するステップは、前記装置に対し着信する通信試みを行う発信電話の電話番号を識別することを通して、前記試みられた通信接続を分類することである、請求項１１記載の方法。
【請求項１７】
前記試みられた通信接続を分類するステップは、前記試みられた通信接続からのＣａｌｌｅｒ ＩＤ（発信者電話番号）の受信を通し発生する、請求項１６記載の方法。
【請求項１８】
前記分類するステップは、前記着信する通信試みの中での識別データの受信を通し発生する、請求項１１記載の方法。
【請求項１９】
前記所定の応答を行うステップは、前記着信する通信試みを行う前記装置にＳＭＳメッセージを送ることである、請求項１５記載の方法。
【請求項２０】
無線通信機能を有するコンピュータ装置で、着信する通信接続試みに対し応答する方法であって、
前記試みられた通信接続を分類するステップと、
前記分類に基づき、前記試みられた通信接続に対し所定の応答を行うステップと、
を備える方法。
【請求項２１】
無線通信機能を有するコンピュータ装置によって実行される時に、前記装置に、
無線ネットワークを横切って、別の装置から、試みられた通信接続を受信するステップと、
前記試みられた通信接続を分類するステップと、
前記分類に基づき、前記試みられた通信接続に対し所定の応答を行うステップと、
を実行させるコンピュータプログラム。
【請求項２２】
前記プログラムにより、前記所定の応答を行うステップは、前記着信する通信接続試みをブロックする、請求項２１記載のプログラム。
【請求項２３】
前記プログラムにより、前記所定の応答を行うステップは、前記着信する通信接続試みに対するオーディオ応答を生成する、請求項２２記載のプログラム。
【請求項２４】
前記プログラムにより、前記所定の応答を行うステップは、前記着信する通信を受理するかどうかに関してユーザー入力をリクエストする、請求項２１記載のプログラム。
【請求項２５】
前記プログラムにより、前記所定の応答を行うステップは、前記着信する通信試みに対しデータ応答を返す、請求項２１記載のプログラム。
【請求項２６】
前記プログラムにより、前記試みられた通信接続を分類する前記ステップは、前記装置に着信通信試みを行う発信電話の電話番号を識別することを通して、前記試みられた通信接続を分類する、請求項２１記載のプログラム。
【請求項２７】
前記プログラムにより、前記試みられた通信接続を分類する前記ステップは、前記試みられた通信接続からのＣａｌｌｅｒ ＩＤ（発信者電話番号）の受信を通し発生する、請求項２６記載のプログラム。
【請求項２８】
前記プログラムにより、前記分類のステップは、前記着信する通信試みの中での識別データの受信を通し発生する、請求項２１記載のプログラム。
【請求項２９】
前記プログラムにより、前記所定の応答を行うステップは、前記着信する通信試みを行う前記装置にＳＭＳメッセージを送る、請求項２５記載のプログラム。
【発明の詳細な説明】
【技術分野】
【０００１】
本発明は、概して無線コンピュータネットワークを横切る(across wireless computer networks)コンピュータ装置間の通信に関する。特に、本発明は、着信する通信試み(an incoming communication attempt)、例えば電話(a phone call)など、を分類し、そして、この分類に基づき、所定のアクションを行うための能力を有する、無線装置に関する。
【背景技術】
【０００２】
通信交換、例えば、音声及びデータ電話、においては、幾つかの理由により、着信する通信試みの識別情報(the identity)を知ることが望まれている。第一に、通信接続の橋渡し、例えば、接続された電話など、が装置所有者に又は加入金額に費用がかかる場合、所有者は、特定の着信コール(incoming call)に対しては請求されることを望まないかもしれない。第二に、発信者(caller)は販売員、マーケット担当者、又は、装置所有者が通信したくない他の人又はエンティティ(entity)であるので、装置所有者は、発信者と話したり発信者からデータを受け取ったりして時間を無駄にすることを望まないかもしれない。従って、着信電話を選別する(screen)人のために、陸線に基づく(land-line based)電話及び電話通信システム用の幾つかの技術が発展してきている。
【０００３】
特に、電話発信(telephone calling)に関して、受信側装置(called device)が発信者を識別できるように、通信接続試み(a communication connection attempt)の初めに識別データを送信することは知られている。この識別の1つの特定バージョンは、「発信者電話番号(“Caller ID”)」（ＣＩＤ）又は発信電話番号配信(Calling Number Delivery)（ＣＮＤ）と呼ばれている。このシステムは、市外電話用請求明細書を識別するために電話会社によって使用されている自動番号識別(Automatic Number Identification)（ＡＮＩ）の拡張として作られた。
【０００４】
ＣＩＤ情報は、電話通話を受信する装置に、情報交換用米国標準コード(American Standard Code for Information Interchange)（ＡＳＣＩＩ）文字コードフォームで識別表示メッセージを送信するモデムトーン(modem tone)を使用し電話サービス加入者ループ上で送信される。表示メッセージの送信は、典型的に第一及び第二リング(“rings”)の間で起こる。メッセージは、マークストリング(a mark string)とその後の発信者情報が続く、チャンネル・シジュア・ストリング(a channel seizure string)から成っている。情報は、次の２つのフォーマットの内の1つで送られる：即ち、データと時間と発信番号とを含むシングルデータメッセージフォーマット("Single Data Message Format")（ＳＤＭＦ）と、データと時間と発信番号と番号に関連した名前とを含むマルチデータメッセージフォーマット("Multiple Data Message Format")（ＭＤＭＦ）。オプションとして、番号と名前のフィールドは、情報が発信者によってブロックされている(blocked)又は利用できないことを示すデータを含むことが出来る。時間ＣＩＤが最初に利用可能となって以来、それは、キャッチホン(“call waiting”)上、或いは、進行中の電話会話中にキャッチホントーンが聞こえ、又第２の着信電話の識別が見られる場合に、ＣＩＤを提供するまでに発展してきている。
【０００５】
着信する通信試みを識別する必要性は、音声及びデータを互いに通信する機能を有する、例えば携帯電話のような、無線コンピュータ装置の間では、より大きい。電話の加入者又は所有者は、装置によって使用された全ての通信時間に対し請求され、従って、応答されたどんな着信電話も利用者に費用がかかる。
【０００６】
従って、望まれていない接続が、無線装置からの所定の応答(a predetermined response)によって回避されることが出来るように、無線コンピュータ装置、例えば、携帯電話、ＰＤＡ、又は他の電気通信装置など、が着信する通信試みを識別し、及び／又は、分類するシステムを提供することは有利になるであろう。そのようなシステムは、ユーザーの対話が応答に悪影響を与えること無く、着信する通信を選択的に操作することが可能であるべきである。従って、本発明が主に向けられるのは、そのようなシステムと方法の提供である。
【発明の概要】
【０００７】
本発明は、無線通信機能を有し、無線ネットワークを横切って(across a wireless network)、試みられた通信接続(attempted communication connections)を選択的に受信するコンピュータ装置で、前記の試みられた通信接続を、それらが必然的に答えられる前に分類し、前記の試みられた通信接続の前記分類に基づき、通信接続試みに対し所定の応答(a predetermined response)を行う、ためのシステム及び方法である。前記所定の応答は、前記の着信する前記装置に接続する試みを許可する前に、特定電話をブロックすること(blocking)、それへのオーディオ又はデータ応答を返すこと(returning)、又は、ユーザー入力をリクエストすること(requesting)、であり得る。
【０００８】
前記コンピュータ装置で、着信する通信接続試みに対し応答する方法は、無線ネットワークを横切って、試みられた通信接続を受信するステップと、前記試みられた通信接続を分類するステップと、前記の分類に基づき、前記試みられた通信接続に対し所定の応答を行うステップと、を備える。前記方法は、前記通信が接続することを許可するより前に、
その特定通信、又はその装置又はエンティティ(entity)からの全ての通信をブロックする、又はユーザー入力をリクエストする、ステップを含むことが出来る。
【０００９】
従って、無線コンピュータ装置、例えば、携帯電話、ＰＤＡ、又は他の電気通信装置などにおいて、望まれていない接続が回避できる又はそうでなければ所定の応答によって処理されるように、どんな着信する通信試みも分類するシステムを提供することが、前記システム及び方法の目的である。前記装置は、ユーザーの対話が前記応答に悪影響を与える必要無く、前記の着信する通信を操作出来、又は、前記接続試みが受信される時に適切な応答を決定するように前記ユーザーに求めることが出来る。更に、前記無線装置は、電話発信者へ音声応答、或いは、発信者又は装置からの着信する通信へのデータ応答、の何れかで応答できる。
【００１０】
本発明の他の面、利点、及び特徴は、ここに記載の本発明の詳細な説明、図面の簡単な説明、及び特許請求の範囲を精査することにより明らかになるであろう。
【図面の簡単な説明】
【００１１】
【図１】図１は、装置プラットフォームに常駐の着信通信マネジャーを有する無線装置上のコンピュータアーキテクチャのブロック図である。
【図２】図２は、無線ネットワークを通して互いに通信する幾つかのコンピュータ装置を有する、一般的な携帯通信コンフィグレーションにおける無線ネットワークの一実施例の代表的な線図である。
【図３】図３は、着信する通信接続試みを受信し、所定の自動応答を生成するか、適切な応答を選択するように装置ユーザーに求めるか、又は単に接続を許可するかの何れかを行う、無線装置上で実行する処理の一実施例のフローチャートである。
【発明の詳細な説明】
【００１２】
全体をとおして同様な数字が同様な構成要素を表す図を参照し、図１は、無線通信インタフェース２４を通しての無線通信機能を有する、例えば携帯電話１０を含む無線装置上のコンピュータアーキテクチャのブロック図を例示する。無線装置１０は、無線ネットワーク２５（図２）を横切って、試みられた通信接続(attempted communication connections)、例えば、電話(a phone call)、データコール(data call)、ＳＭＳ、又は他の通信試みなど、を選択的に受け取る。無線装置は、試みられた通信接続を分類し、試みられた通信接続の分類に基づき、通信接続試みに対し所定の応答(a predetermined response)を行うように試みる。
【００１３】
より詳細には、無線装置１０は、無線装置を横切って他のコンピュータ電気通信装置から送信されたデータの受信及び操作が出来るコンピュータプラットフォーム１２を有する。コンピュータプラットフォーム１２は、他のコンポーネントの中で、特定用途向け集積回路“an application-specific integrated circuit”（“ＡＳＩＣ”）１４、又は他のプロセッサ、マイクロプロセッサ、ロジック回路、プログラマブルゲートアレー、又は他のデータ処理装置を含む。ＡＳＩＣ１４は、無線装置の製造時に組み込まれ(installed)、普通はアップグレードできない。ＡＳＩＣ１４又は他のプロセッサは、常駐アプリケーション環境を含み、ＡＳＩＣ１４にロードされるオペレーティングシステムを含むことが出来る、アプリケーションプログラミングインタフェース(an application programming interface)（“ＡＰＩ”）層１６を実行する。常駐アプリケーション環境は、無線装置のメモリ２０の中の任意の常駐アプリケーションとインタフェースをとる。常駐アプリケーション環境の例は、無線装置プラットフォーム用にＱｕａｌｃｏｍｍ（Ｒ）によって開発された「Ｂｉｎａｒｙ Ｒｕｎｔｉｍｅ Ｅｎｖｉｒｏｍｅｎｔ ｆｏｒ Ｗｉｒｅｌｅｓｓ」（ＢＲＥＷＴＭ）ソフトウェアである。
【００１４】
ここで示されているように、無線装置は、グラフィック表示付きの携帯電話１０であり得るが、又、本技術分野で知られているようなコンピュータプラットフォーム、例えば、携帯情報端末(a personal digital assistant)（ＰＤＡ）、グラフィック表示付きページャ(pager)、又は、更に無線通信ポータル(portal)を有するかそうでなければネットワーク又はインターネットへの通信回線に接続されている(have a wired connection to)別のコンピュータプラットフォームなど、を備える任意の無線装置でもあり得る。更に、メモリ２０は、リードオンリ又はランダムアクセスメモリ（ＲＡＭ又はＲＯＭ）、ＥＰＲＯＭ、ＥＥＰＲＯＭ、フラッシュカード、又はコンピュータプラットフォームに共通の任意のメモリから構成され得る。コンピュータプラットフォーム１２は、メモリ２０の中で積極的には使用されないソフトウェアアプリケーション、例えば、第三者のアプリケーションダウンロードサーバからダウンロードされたソフトウェアアプリケーションなど、の保存用のローカルデータベース２２も又含むことが出来る。ローカルデータベース１２は、典型的には、1以上のフラッシュメモリセルから構成されているが、本技術分野で知られているような任意の二次的な、又は三次的な記憶装置、例えば、磁気メディア、ＥＰＲＯＭ、ＥＥＰＲＯＭ、光学的メディア、テープ、ソフト又はハードディスクなど、であり得る。
【００１５】
無線装置、例えば携帯電話１０など、は、無線ネットワーク２５を横切ってデータを選択的に送受信する無線通信ポータル又は通信インタフェース２４を通しての無線通信機能を有する。コンピュータプラットフォーム１２常駐アプリケーション環境は、データをプラットフォーム１２にポータル（インタフェース２４）を通して伝達でき、又、任意の着信する通信ストリームと相互に作用でき、それへの所定の応答のために同じものを選別できる(screen same)。所定の応答は、全部の通信(a full communication)が決して橋渡しされないように着信する通信接続試みをブロックすること、例えば、答えられない電話など、であり得る。又は、所定の応答は、着信する通信接続試みに対するオーディオ応答、例えば、「この番号は確認されない番号からの電話を受理しません」のようなクイックメッセージで応答することなど、を含むことが出来る。そして一実施例においては、所定の応答は、着信する通信を受理するかどうかについてユーザー入力をリクエストする又は特定の所定の応答で応答することであり得る。そして、装置へのデータコール、例えばＳＭＳ又はｅメールなど、の場合は、所定の応答は、着信する通信試みに対し、データ応答、例えば応答ＳＭＳ又はｅメールなど、を返すことであり得る。
【００１６】
着信する通信試みの分類は、望ましくは、装置に着信する通信試みを行う発信電話(a calling telephone)の電話番号を、例えば、着信する電話通話に対するＣａｌｌｅｒ ＩＤ（発信者電話番号）の受信を通して、識別することによる。又、データ通信に対しては、分類は、着信する通信試み内の識別データ(identity data)、例えば、情報の初期フレーム(initial frames)で受信されたタグデータ(tag data)など、の受信を通して発生する。
【００１７】
携帯電話１０のような、携帯電話及び電気通信装置は、増えた計算機能を備えて製造されており、パーソナルコンピュータ及びハンディタイプの携帯情報端末（“ＰＤＡｓ”）に等しくなりつつある。これらの「スマート(“smart”)」携帯電話は、ソフトウェア開発者が、携帯電話装置１０のＡＳＩＣ１４のようなプロセッサ上でダウンロードできて実行できるソフトウェアアプリケーションを作成することを可能にする。携帯電話１０のような無線装置は、多くのタイプのアプリケーション、例えば、ウエブページ(web pages)、アプレット(applets)、ＭＩＤｌｅｔｓ、ゲーム及び株モニタ(stock monitors)などを、或いは単に、ニュース及びスポーツ関連データのようなデータを、ダウンロードでき実行できる。ダウンロードされたデータ又は実行可能なアプリケーションは、直ちに装置１０のディスプレー上で表示されることが出来、或いは、使用されないときはローカルデータベース２２中に保存されることが出来る。ソフトウェアアプリケーションは、無線装置１０上に常駐の常用ソフトウェアアプリケーションとして扱われることが出来、ユーザーは、ＡＰＩ１６上での、即ち常駐アプリケーション環境内での、実行のため、保存された常駐アプリケーションをローカルデータベース２２からメモリ２０に選択的にアップロード出来る。従って、着信する通信接続における選別プログラムは、装置の製造時にプラットフォーム１２上にロードされることが出来、又は、プログラムは、無線ネットワーク２５を横切ってプラットフォーム１２にダウンロードされることが出来る。
【００１８】
図２は、無線装置１０が動作する無線ネットワーク２５のコンポーネントをより十分に例示するブロック図である。無線ネットワーク２５は、単なる例示的なものであり、任意のシステムを含むことが出来、それによって、遠隔モジュールは、互いの間で、及び／又は、無線ネットワークキャリア及び／又はサーバーを含むがこれらに限定されない無線ネットワーク２９のコンポーネントの間で、エアーで(over-the-air)通信できる。キャリアネットワーク３０は、メッセージングサービスコントローラ（“ＭＳＣ”）３２に送られるメッセージ（通常データパケットのフォームで）をコントロールする。キャリアネットワーク３０は、ＭＳＣ３２と、ネットワーク、インターネット及び／又はＰＯＴＳ（「普通の従来の電話サービス」）によって通信する。典型的には、キャリアネットワーク３０とＭＳＣ３２との間のネットワーク又はインターネット接続はデータを転送し、ＰＯＴＳは音声情報を転送する。ＭＳＣ３２は、多重基地局（“ＢＴＳ”）３４に接続されている。キャリアネットワークに対し同様な方法で、ＭＳＣ３２は、データ転送用のネットワーク及び／又はインターネットと音声情報用のＰＯＴＳとの両方によって、ＢＴＳ３４に典型的に接続される。ＢＴＳ３４は、最終的には、携帯電話１０のような無線装置に、ショートメッセージサービス(short message service)（“ＳＭＳ”）、又は本技術分野で知られている他のエアー手法(over-the-air methods)によって無線でメッセージをブロードキャストする。
【００１９】
このように、無線ネットワーク２５上で、一無線装置１０は、無線装置１１のような別の装置に、音声又はデータ通信試みを行うことが出来る。装置１０の無線サービスの加入者は全ての通信時間の利用又は送られたメッセージに対し請求され得るので、加入者は無線装置１１からの電話又はメッセージを受け取るのを欲さないかもしれない。無線装置１０は、従って、所定の応答として、装置１１からのどんな通信のブロックもセットでき、又は、加入者は、下記に示されるように、通信接続の最初の受信に関し、所定の応答を特定できる。
【００２０】
図３は、着信する通信接続(an incoming communication connection)を受信する無線装置１０上で実行する、処理の一実施例のフローチャートである。装置は、ステップ４０で、通信接続試み(the communication connection attempt)を受け取り、そのあとに、決定４２で示されるように、着信する通信(the incoming communication)が分類されることが出来るかどうかについて、例えば、Ｃａｌｌｅｒ ＩＤ（発信者電話番号）信号の存在を検知することを通して、決定する。もし、着信する通信が決定４２で識別されることが出来る場合は、そのとき処理は、決定５０で示されるように、着信する通信試み(the incoming communication attempt)に対する所定の応答があるかどうかについて決定するように進める。
【００２１】
そうでなければ、もし着信する通信試みを決定４２で分類されることが出来ない場合は、決定４４で示されるように、ユーザーが着信する通信を分類することを必要とするのかどうかについて決定がそのときされる。即ち、装置は、あるタイプの呼び出し(call)はデフォルトの応答(a default response)、例えば、発信者に、装置は未確認発信者を承認しません、という音声メッセージを返すこと、まで進むことを許可する。もしユーザーが決定４４として、着信する接続試み(the incoming connection attempt)を分類することを実際必要とする場合は、ユーザーはこのとき、ステップ４６で示されるように、着信する接続試みを分類するようにリクエストされ、そのあと、決定４８で示されるように、ユーザーが着信試みを分類したかどうかについて決定される。もしユーザーが決定４８で電話をかけてきた発信者(the incoming caller)を分類する場合は、又は、もしユーザーが決定４４で着信する接続試みを分類することを必要としない場合は、決定５０で示されるように、着信する通信接続試みに対する所定の応答があるのかどうかについての決定がそのときされる。そうでなければ、もしユーザーが決定４８で着信する通信接続試みを分類しなかった場合は、そのとき処理は、ステップ５８で示されるように、通信に接続を許可する。
【００２２】
決定５０で、もし着信する通信試みに対する所定の応答がある場合には、そのときは、予め定義された処理５６で示されるように、所定の応答が実行され、そのあと処理は終了する。このように、デフォルト条件は、ユーザーが通信を逸しないように、通信が接続するのをむしろ許可することである、ということが理解されることが出来る。然しながら、デフォルト値は、最終的には、全ての未確認の又は分類されない着信する通信接続試みを拒否するようにセットされることが出来る。もし、決定５０で、着信する通信接続試みに対し、特定される、所定の応答がない場合には、そのとき、決定５２で示されるように、ユーザーが応答を決定することを必要とするかどうかについて決定される。もし、ユーザーが、決定５２で、応答を決定することを必要としない場合は、そのとき、着信する通信接続試みは、ステップ５８で示されるように、許可される。もし、ユーザーが、決定５２で、着信する通信接続試みに対する応答を決定することを実際に必要とする場合は、そのとき、決定５４で示されるように、ユーザーが応答を決定したかどうかについて決定がされる。
【００２３】
もし、ユーザーが決定５４で応答を決定しなかった場合は、そのとき、着信する通信接続試みは、ステップ５８で示されるように、許可され（又は、デフォルトに依存してブロックされ）、そのあと処理は終了する。そうでなければ、もしユーザーが決定５４で着信する通信試みに対し応答を決定した場合は、所定のプロセス５６に示されるように、そのあとその選択された所定の応答が実行され、そのあとに処理は終了する。その特定の通信接続識別情報に対する所定の応答は、保存され、装置へのどんな将来の接続試みに対しても再利用されることが出来、或いは、応答は、その時の呼び出しに対するユーザーによる単なる応答、例えば、「私は丁度今電話に出ることができません。後ほどかけなおしてください。」のオーディオ応答など、であり得る。
【００２４】
図３に示されるように、無線装置１０は、従って、無線通信機能を有するコンピュータ装置１０での着信する通信接続試みに対し応答する方法を提供し、この方法は、無線ネットワーク２５を横切って試みられた通信接続を受信するステップと、試みられた通信接続を分類するステップ（決定４２）と、分類に基づき、試みられた通信接続に対し所定の応答を行うステップ（ステップ５６）とを含む、ことが、従って理解されることが出来る。所定の応答を行うステップは、着信する通信接続試みをブロックすること、着信する通信接続試みに対するオーディオ応答を生成すること、着信する通信を受理するかどうかに関してユーザー入力をリクエストすること、又は、着信する通信試みに対するデータ応答を返すこと、であり得る。
【００２５】
試みられた通信接続を分類するステップは、装置に対し着信する通信試みを行う発信電話の電話番号を識別することを通して、例えば、試みられた通信接続からのＣａｌｌｅｒ ＩＤ（発信者電話番号）の受信を通して、行われ得る。或いは、分類分けのステップは、着信する通信試み内の識別データ、例えば、フレーム中のデータなど、の受信を通して起こりえる。そして、もし、着信する通信接続試みがデータコールの場合は、所定の応答を行うステップは、ＳＭＳメッセージのようなデータを、着信する通信試みを行う装置に送ることであり得る。
【００２６】
本方法は、従って、コンピュータプラットフォーム１２のメモリ２０のような、コンピュータ可読媒体に保存されているプログラムの実行によって、実施されることが出来る。インストラクションは、種々様々なタイプの、信号が記録されている(signal-bearing)又はデータ保存の一次、二次、又は三次媒体の中に常駐できる。媒体は、無線装置によってアクセス出来、又は無線装置の中に常駐できる、例えばＲＡＭ（示されていない）を備える。ＲＡＭ、ディスケット(diskette)、又は他の二次的記憶媒体に含まれようとなかろうと、インストラクションは、多種多様の機械−可読データ記憶媒体、例えば、ＤＡＳＤ記憶装置（例、従来型「ハードドライブ」又はＲＡＩＤアレイ）、磁気テープ、電子リードオンリーメモリ（例、ＲＯＭ、ＥＰＲＯＭ、又はＥＥＰＲＯＭ）、フラッシュメモリカード、光学記憶装置（例、ＣＤ−ＲＯＭ、ＷＯＲＭ、ＤＶＤ、デジタル光学テープ）、ペーパー「パンチ」カード、又は、デジタル及びアナログ伝送媒体を含む他の適切なデータ記憶媒体などに保存されることが出来る。
【００２７】
上記開示は本発明の例示的な実施例を示すが、添付された特許請求の範囲に記載の発明の範囲から逸脱することなく、様々な変更及び修正がここでされることが出来るであろうことに、注意されるべきである。更に、単数で発明の構成要素が記載され又は請求の範囲に記載されているかもしれないが、単数に限定することが明白に表明されていなければ複数も意図されている。
【図１】
2011061799.tif 000003
【図２】
2011061799.tif 000004
【図３】
2011061799.tif 000005
【手続補正書】
【提出日】平成22年10月13日(2010.10.13)
【手続補正１】
【補正対象書類名】特許請求の範囲
【補正対象項目名】全文
【補正方法】変更
【補正の内容】
【特許請求の範囲】
【請求項１】
無線通信機能を有し、無線ネットワークを横切って、試みられた通信接続を選択的に受信するコンピュータ装置であって、
試みられた通信接続を分類し、
前記試みられた通信接続の前記分類に基づき、通信接続試みに対し所定の応答を行う、
コンピュータ装置。
【手続補正２】
【補正対象書類名】明細書
【補正対象項目名】００２７
【補正方法】変更
【補正の内容】
【００２７】
上記開示は本発明の例示的な実施例を示すが、添付された特許請求の範囲に記載の発明の範囲から逸脱することなく、様々な変更及び修正がここでされることが出来るであろうことに、注意されるべきである。更に、単数で発明の構成要素が記載され又は請求の範囲に記載されているかもしれないが、単数に限定することが明白に表明されていなければ複数も意図されている。
以下に、本願発明の当初の特許請求の範囲に記載された発明を付記する。
［１］
無線通信機能を有し、無線ネットワークを横切って、試みられた通信接続を選択的に受信するコンピュータ装置であって、
試みられた通信接続を分類し、
前記試みられた通信接続の前記分類に基づき、通信接続試みに対し所定の応答を行う、
無線装置。
［２］
前記所定の応答は、前記着信する通信接続試みをブロックすることである、［１］記載の装置。
［３］
前記所定の応答は、前記着信する通信接続試みに対するオーディオ応答を含む、［２］記載の装置。
［４］
前記所定の応答は、前記着信する通信を受理するかどうかに関してユーザー入力をリクエストすることである、［１］記載の装置。
［５］
前記所定の応答は、前記着信する通信試みに対しデータ応答を返すことである、［１］記載の装置。
［６］
前記着信する通信試みの前記分類は、前記装置に着信通信試みを行う発信電話の電話番号を識別することにより生じる、[１]記載の装置。
［７］
前記分類は、前記着信する通信試みに対するＣａｌｌｅｒ ＩＤ（発信者電話番号）の受信を通し発生する、［６］記載の装置。
［８］
前記分類は、前記着信する通信試みの中での識別データの受信を通し発生する、［１］記載の装置。
［９］
前記所定の応答は、前記着信する通信試みを行う前記装置にＳＭＳメッセージを送ることである、［５］記載の装置。
［１０］
無線ネットワークを横切って、試みられた通信接続を選択的に受信する無線通信用手段と、
試みられた通信接続を分類する手段と、
前記試みられた通信接続の前記分類に基づき、通信接続試みに対し所定の応答を行う手段と、
を備えるコンピュータ装置。
［１１］
無線通信機能を有するコンピュータ装置で、着信する通信接続試みに対し応答する方法であって、
無線ネットワークを横切って、試みられた通信接続を受信するステップと、
前記試みられた通信接続を分類するステップと、
前記の分類に基づき、前記試みられた通信接続に対し所定の応答を行うステップと、
を備える方法。
［１２］
前記所定の応答を行うステップは、前記着信する通信接続試みをブロックすることである、［１１］記載の方法。
［１３］
前記所定の応答を行うステップは、前記着信する通信接続試みに対するオーディオ応答を生成することである、［１２］記載の方法。
［１４］
前記所定の応答を行うステップは、前記着信する通信を受理するかどうかに関してユーザー入力をリクエストすることである、［１１］記載の方法。
［１５］
前記所定の応答を行うステップは、前記着信する通信試みに対するデータ応答を返すことである、［１１］記載の方法。
［１６］
前記試みられた通信接続を分類するステップは、前記装置に対し着信する通信試みを行う発信電話の電話番号を識別することを通して、前記試みられた通信接続を分類することである、［１１］記載の方法。
［１７］
前記試みられた通信接続を分類するステップは、前記試みられた通信接続からのＣａｌｌｅｒ ＩＤ（発信者電話番号）の受信を通し発生する、［１６］記載の方法。
［１８］
前記分類するステップは、前記着信する通信試みの中での識別データの受信を通し発生する、［１１］記載の方法。
［１９］
前記所定の応答を行うステップは、前記着信する通信試みを行う前記装置にＳＭＳメッセージを送ることである、［１５］記載の方法。
［２０］
無線通信機能を有するコンピュータ装置で、着信する通信接続試みに対し応答する方法であって、
前記試みられた通信接続を分類するステップと、
前記分類に基づき、前記試みられた通信接続に対し所定の応答を行うステップと、
を備える方法。
［２１］
無線通信機能を有するコンピュータ装置によって実行される時に、前記装置に、
無線ネットワークを横切って、別の装置から、試みられた通信接続を受信するステップと、
前記試みられた通信接続を分類するステップと、
前記分類に基づき、前記試みられた通信接続に対し所定の応答を行うステップと、
を実行させるコンピュータプログラム。
［２２］
前記プログラムにより、前記所定の応答を行うステップは、前記着信する通信接続試みをブロックする、［２１］記載のプログラム。
［２３］
前記プログラムにより、前記所定の応答を行うステップは、前記着信する通信接続試みに対するオーディオ応答を生成する、［２２］記載のプログラム。
［２４］
前記プログラムにより、前記所定の応答を行うステップは、前記着信する通信を受理するかどうかに関してユーザー入力をリクエストする、［２１］記載のプログラム。
［２５］
前記プログラムにより、前記所定の応答を行うステップは、前記着信する通信試みに対しデータ応答を返す、［２１］記載のプログラム。
［２６］
前記プログラムにより、前記試みられた通信接続を分類する前記ステップは、前記装置に着信通信試みを行う発信電話の電話番号を識別することを通して、前記試みられた通信接続を分類する、［２１］記載のプログラム。
［２７］
前記プログラムにより、前記試みられた通信接続を分類する前記ステップは、前記試みられた通信接続からのＣａｌｌｅｒ ＩＤ（発信者電話番号）の受信を通し発生する、［２６］記載のプログラム。
［２８］
前記プログラムにより、前記分類のステップは、前記着信する通信試みの中での識別データの受信を通し発生する、［２１］記載のプログラム。
［２９］
前記プログラムにより、前記所定の応答を行うステップは、前記着信する通信試みを行う前記装置にＳＭＳメッセージを送る、［２５］記載のプログラム。
【外国語明細書】
2011061799000001.pdf